(57)【要約】  【課題】  医療機関に出向かなくとも日常の健康管理を確実に行い得るようにしたシステムが求められている。  【解決手段】  センターサーバーと医療機関端末と利用者端末とを通信回線網を介して接続した健康管理支援システムであって、センターサーバーは、医療機関別に利用者のバイタルデータを記録するバイタル情報データベースとＡＳＰ機能とを備え、医療機関端末は、センターサーバーのＡＳＰ機能を利用してバイタル情報データベースを参照するための参照手段と、健康管理に関するアドバイスを作成し、センターサーバーのメール交換サービスを利用して利用者に電子メールで送信する手段とを備え、利用者端末は、センターサーバーのメール交換サービスを利用して、医療機関から自分宛に送信された健康管理に係る電子メールを受信する手段とを備えた構成である。  【選択図】図１
2008033779.tif 000002
【特許請求の範囲】
【請求項１】
センターサーバーと医療機関端末と利用者端末とを通信回線網を介して接続した健康管理支援システムであって、
センターサーバーは、医療機関の情報と医療機関別の利用者の会員情報を記録する会員情報データベースと、医療機関別に利用者のバイタルデータを記録するバイタル情報データベースとを格納した記憶装置と、会員相互の電子メールの交換を支援するメール交換サービス手段と、通信回線を介してアプリケーションプログラムをユーザにレンタルするＡＳＰ機能とを備え、
医療機関端末は、センターサーバーのＡＳＰ機能を利用してバイタル情報データベースを参照するための参照手段と、参照したバイタル情報に基づく健康管理に関するアドバイスを作成し、センターサーバーのメール交換サービスを利用して利用者に電子メールで送信する手段とを備え、
利用者端末は、センターサーバーのメール交換サービスを利用して、会員となっているかかりつけ医療機関から自分宛に送信された健康管理に係る電子メールを受信する手段とを備えたことを特徴とする健康管理支援システム。
【請求項２】
請求項１に記載の健康管理支援システムにおいて、
利用者端末は、センターサーバーのＡＳＰ機能を利用してバイタルデータをセンターサーバーに送信する手段をさらに備え、
センターサーバーは、利用者端末から送信されたバイタル情報を受信する受信装置と、受信したバイタル情報をバイタル情報データベースに登録するデータベース管理手段とをさらに備えたことを特徴とする健康管理支援システム。
【請求項３】
センターサーバーと医療機関端末と利用者端末とを通信回線網を介して接続した健康管理支援システムであって、
センターサーバーは、医療機関の情報と医療機関別の利用者の会員情報を記録する会員情報データベースと、医療機関別に利用者のバイタルデータを記録するバイタル情報データベースと、健康アドバイス情報データベースとを格納した記憶装置と、利用者端末から送信されたバイタル情報を受信する受信装置と、受信したバイタル情報をバイタル情報データベースに登録する手段と、医療機関端末から送信された健康アドバイス情報を受信する受信装置と、受信した健康アドバイス情報を健康アドバイス情報データベースに登録するデータベース管理手段と、会員相互の電子メールの交換を支援するメール交換サービス手段と、通信回線を介してアプリケーションプログラムをユーザにレンタルするＡＳＰ機能とを備え、
医療機関端末は、センターサーバーのＡＳＰ機能を利用して、バイタル情報データベースを参照するための参照手段と、参照したバイタル情報に基づいて作成した健康管理に関するアドバイス情報をセンターサーバーに送信する手段とを備え、
利用者端末は、センターサーバーのＡＳＰ機能を利用して、バイタルデータをセンターサーバーに送信する手段と、健康アドバイス情報データベースを参照するための参照手段とを備えたことを特徴とする健康管理支援システム。
【請求項４】
通信回線網を介して医療機関端末や利用者端末と接続して健康管理支援システムを構成するセンターサーバーであって、
医療機関の情報と医療機関別の利用者の会員情報を記録する会員情報データベースと、医療機関別に利用者のバイタルデータを記録するバイタル情報データベースと、健康アドバイス情報データベースとを格納した記憶装置とを格納した記憶装置と、利用者端末から送信されたバイタル情報を受信する受信装置と、受信したバイタル情報をバイタル情報データベースに登録する手段と、医療機関端末から送信された健康アドバイス情報を受信する受信装置と、受信した健康アドバイス情報を健康アドバイス情報データベースに登録す
るデータベース管理手段と、会員相互の電子メールの交換を支援するメール交換サービス手段と、を備えたことを特徴とするセンターサーバー。
【請求項５】
通信回線網を介してセンターサーバーと接続し、利用者端末とともに健康管理支援システムを構成する医療機関端末であって、
センターサーバーのバイタル情報データベースを参照するための参照手段と、参照したバイタル情報に基づく健康管理に関するアドバイスを作成し、センターサーバーのメール交換サービスを利用して利用者に電子メールで送信する手段とを備えたことを特徴とする医療機関端末。
【請求項６】
通信回線網を介してセンターサーバーと接続し、医療機関端末とともに健康管理支援システムを構成する利用者端末であって、
センターサーバーのＡＳＰ機能を利用してバイタルデータをセンターサーバーに送信する手段と、センターサーバーのメール交換サービスを利用して、かかりつけ医療機関から自分宛に送信された健康管理に係る電子メールを受信する手段とを備えたことを特徴とする利用者端末。
【発明の詳細な説明】
【技術分野】
【０００１】
本発明は、患者の日々の生体情報をネットを介して収集蓄積しておき、それを医師が参照して健康管理に関するアドバイス等を患者に送るようにした健康管理支援システムに関する。
【背景技術】
【０００２】
わが国には、軽度の肥満や高血圧、高血糖値の予備軍も含めると、生活習慣病患者が全人口の約１０％、１３００万人余りいるとされ、日常の健康管理を必要とする人が大勢いる。
【０００３】
そして、生活習慣病の場合、血圧や血糖値等の日々の変化を見ることが治療に有効なので、生活習慣病患者が自ら測定した日常のバイタルデータを、通信回線を介してサーバーに送信して保存しておき、患者が医療機関を受診した際に、医療機関の医師がサーバーにアクセスしてバイタルデータを参照し、治療に役立てるようにした健康管理支援システムが提案されている（特許文献１参照）。
【０００４】
生活習慣病患者は、日常の健康管理を推し進めることで症状を緩和したり進行を抑えることができるので、その分、医療機関で治療を受ける度合いを減らすことができ、国民医療費の抑制の観点からも日常の健康管理は有効である。
【特許文献１】特開２００３−１２２８４７
【発明の開示】
【発明が解決しようとする課題】
【０００５】
医療機関を定期的に受診して治療している患者にとっては、毎日のバイタルデータの測定とサーバーへの登録を簡便にし、かつ、親しみあるユーザーインターフェースを持った上記従来技術は有効である。
【０００６】
しかし、医療機関での治療までには至っていない軽症の患者予備軍は、通常は治療のために受診する機会が当面ないので、その日々の測定データを次回の受診時に役立てるという明確な目標、目的がない。そのため、バイタルデータの日々の測定を継続する意識が希薄となり、日常の健康管理は重要であると分っていても、毎日測定を続けることは難しい。
【０００７】
そこで、医療機関に出向かなくても、健康維持・増進に関する専門家のアドバイスを得ることができ、それにより日々のバイタル測定の動機付けが得られるようにし、ひいては日常の健康管理を確実に行い得るようにしたシステムが求められる。
【課題を解決するための手段】
【０００８】
本発明は、センターサーバーと医療機関端末と利用者端末とを通信回線網を介して接続した健康管理支援システムであって、センターサーバーは、医療機関の情報と医療機関別の利用者の会員情報を記録する会員情報データベースと、医療機関別に利用者のバイタルデータを記録するバイタル情報データベースとを格納した記憶装置と、会員相互の電子メールの交換を支援するメール交換サービス手段と、通信回線を介してアプリケーションプログラムをユーザにレンタルするＡＳＰ機能とを備え、医療機関端末は、センターサーバーのＡＳＰ機能を利用してバイタル情報データベースを参照するための参照手段と、参照したバイタル情報に基づく健康管理に関するアドバイスを作成し、センターサーバーのメール交換サービスを利用して利用者に電子メールで送信する手段とを備え、利用者端末は
、センターサーバーのメール交換サービスを利用して、会員となっているかかりつけ医療機関から自分宛に送信された健康管理に係る電子メールを受信する手段とを備えることで、上記課題を解決するものである。
【発明の効果】
【０００９】
本発明の健康管理支援システムによれば、バイタルデータの日々の測定を継続する意識が希薄となりがちな患者予備軍であっても、医療機関に出向かなくとも健康維持・増進に関する専門家のアドバイスを得ることができるようになる。また、それにより日々のバイタル測定の動機付けが得られるとともに、日常の健康管理を確実に行い得るようになることが期待できる。
【発明を実施するための最良の形態】
【００１０】
図１は本発明の実施形態の健康管理支援システムの構成を示すブロック図である。図に示すように本実施形態ではセンターサーバー１０と、医療機関端末２０と、利用者端末３０とがインターネット等の通信回線網４０で結ばれた構成である。
【００１１】
センターサーバー１０は、健康管理サービスを提供するサービス機関が使用するＡＳＰ（Application Service Provider：インターネットを介してアプリケーションソフトをユーザにレンタルすること。）機能を有するサーバーコンピュータであり、会員情報データベース１１と、バイタル情報データベース１２と、健康アドバイス情報データベース１３と、通信回線網４０を介してデータを送受信する通信手段１６と、受信したデータをデータベースに登録するデータベース管理手段１４と、医療機関と利用者間での電子メールの交換を支援するメール交換サービス手段１５とを備える。
【００１２】
医療機関端末２０は、医療機関の主に医師が使用するコンピュータであり、ＣＲＴ表示装置等の表示手段２１と、キーボード等の入力手段２２と、通信回線網を介してデータを送受信する通信手段２３と、センターサーバー１０のＡＳＰ機能を利用してデータベースの内容等を表示手段に表示する参照手段２４とを備える。この参照手段２４は汎用のウエブブラウザが利用できる。また、この参照手段２４は、センターサーバーのメール交換サービスを利用して、当該医療機関の利用者に対する健康管理に係る電子メールを送信することができる。
【００１３】
利用者端末３０は、健康管理サービスを受ける患者等の在宅利用者が使用するコンピュータであり、ＣＲＴ表示装置等の表示手段３１と、キーボード等の入力手段３２と、外部の測定器からバイタルデータを取り込むバイタルデータ取得手段３３と、通信回線網４０を介してデータを送受信する通信手段３４と、センターサーバー１０のＡＳＰ機能を利用してデータベースにバイタルデータを登録し、また、データベースの内容等を表示手段に表示する参照手段３５とを備える。この参照手段３５は医療機関端末２０同様に汎用のウエブブラウザが利用できる。また、センターサーバーのメール交換サービスを利用して、会員となっているかかりつけ医療機関から自分宛に送信された健康管理に係る電子メールを受信することができる。
【００１４】
そして、これらセンターサーバー１０、医療機関端末２０及び利用者端末３０はいずれも、記憶したプログラムをＣＰＵが実行して各種機能を果たす処理装置と、記憶装置とを備えている。
【００１５】
センターサーバー１０の会員情報データベース１１は、本健康管理サービスの会員である医療機関及び在宅利用者双方の会員情報を記憶する。会員情報としては氏名または施設名、住所、電話番号、電子メールアドレス、及び会員ＩＤとパスワード等を記憶する。
【００１６】
このように本システムでは診療所や病院といった医療機関も会員である。医療機関は自院の患者等に利用者ＩＤと初期パスワードを発行し、サービス機関のＡＳＰサーバー上に構築された自院のバイタル情報データベース１２及び健康アドバイス情報データベース１３を利用させるものである。
【００１７】
また、センターサーバー１０のバイタル情報データベース１２は、会員利用者のバイタルデータを記憶する。バイタルデータとしては血圧や血糖値、体重、体脂肪率等がある。これらは医療機関毎に設定できるので、利用者はそれぞれの医療機関固有のバイタルデータの登録画面を参照することになる。
【００１８】
また、健康アドバイス情報データベース１３は、医療機関の医師等が自院の会員向けに公開した健康に関する情報やアドバイスを記憶する。会員利用者は利用者端末３０からこのアドバイス情報をいつでも参照できる。
【００１９】
センターサーバー１０のメール交換サービス手段１５は、医療機関が自院の特定の会員向けにメールを送信するときに利用する。逆に、利用者が医療機関にメールを送るときにも利用する。これは例えば、利用者が登録したバイタルデータを参照した医師が、利用者に健康管理に関するアドバイスあるいは指示を記した電子メールを送るときに利用する。また、利用者がかかりつけ医師、即ち会員となっている医療機関の医師に対して、健康に関する相談をするときにも利用でき、一方、医療機関はその返事を送るときに利用する。その際、医療機関にも利用者にも相手のメールアドレスは見えないようになっている。この機能を利用することで、医療機関と利用者とはお互いのメールアドレスを知らなくてもコミュニケーションが取れるようになっている。
【００２０】
図２は、利用者端末３０からバイタルデータをセンターサーバー１０のデータベースに登録する動作を示している。利用者は血圧や血糖値といったバイタルデータを、専用または汎用の測定器を使って日々測定し、そのデータを利用者端末３０に取り込む（ステップＳ２１）。次に、センターサーバー１０にアクセスして、支給された利用者ＩＤとパスワードで健康管理サービスにログインし、データベース登録画面を表示させる。そして、取り込んでおいたバイタルデータを入力・送信する（同Ｓ２２）。センターサーバー１０では送られてきたバイタルデータを受信し（同Ｓ２３）、データベース管理手段１４がバイタル情報データベース１２に登録する（同Ｓ２４）。
【００２１】
尚、バイタルデータは、専用の測定器を利用者端末３０に接続して直接取り込むこともできる。この場合、一度利用者端末３０に記憶したバイタルデータのファイルをセンターサーバー１０に送信すればよい。また、データを直接、利用者端末３０に取り込めない汎用の測定器で測った場合は、その測定値を利用者自身がデータベース登録画面から入力すればよい。
【００２２】
図３は、医療機関の医師が自院の会員利用者のバイタルデータを参照し、それに基づいて何らかの健康管理に関するアドバイスを電子メールで当該利用者に送る動作を示している。医師は、センターサーバー１０にアクセスしてログインすると、対象の利用者の会員ＩＤを入力し、バイタル情報データベースに登録されているその会員のバイタルデータを指定して参照する。バイタルデータは利用者自らが測定した日常のデータが蓄積されているので、その変化を読み取って傾向と対策を立てることができる。そこで医師は、必要であれば健康管理に関するアドバイスを作成し、それをメール交換サービスを利用して当該利用者に送信する。その際、宛先一覧には、その医療機関の会員利用者のみが表示される。但し、利用者の電子メールアドレスは医師には見えないようになっている。
【００２３】
次に、図４と図５は、利用者と医療機関とが健康管理に関する質問メールとその返答で
あるアドバイスメールを交換する動作を示している。先ず、利用者から質問メールを送る場合、利用者は健康管理サービスにログインしてメール交換サービスを呼び出し（ステップＳ４１）、健康相談のメールを作成してかかりつけの医師を宛先にして送信する（同Ｓ４３）。このとき、その利用者がメール送信できる医師や医療機関の名前だけが一覧表示されるので、そこから宛先を選択するようになっている。尚、表示されるのは医師名や医療機関名、診療科等であり、メールアドレスは表示されない。また、利用者宛の着信メールの有無が表示されるので、利用者はそれを開封して医師からの健康管理に係るアドバイスを参照することができる（同Ｓ４４）。
【００２４】
一方、医療機関や医師は、健康管理サービスにログインしてメール交換サービスを呼び出すことで、自院宛あるいは医師宛のメールの有無を確認できるので（図５、ステップＳ５３）、それに対する応答メールを作成・送信することができる（同Ｓ５４）。尚、その際、相手利用者の氏名や利用者ＩＤは画面に表示されるが、メールアドレスは表示されない。このように、会員登録している利用者とそのかかりつけ医療機関の間ではお互いのメールアドレスを開示することなく、健康相談などのサービスの提供と利用が図れるようになっている。
【図面の簡単な説明】
【００２５】
【図１】実施形態のシステムの構成を示すブロック図である。
【図２】実施形態の動作を示す流れ図である。
【図３】実施形態の動作を示す流れ図である。
【図４】実施形態の動作を示す流れ図である。
【図５】実施形態の動作を示す流れ図である。
【符号の説明】
【００２６】
１０  センターサーバー    １１  会員情報データベース    １２  バイタル情報データベース    １３  健康アドバイス情報データベース    １４  データベース登録手段    １５  メール交換サービス手段    ２０  医療機関端末    ２１  表示手段    ２２  入力手段    ２３  通信手段    ２４  参照手段    ３０  利用者端末    ３１  表示手段
３２  入力手段    ３３  バイタルデータ取得手段    ３４  通信手段    ３５  参照手段
【図１】
2008033779.tif 000003
【図２】
2008033779.tif 000004
【図３】
2008033779.tif 000005
【図４】
2008033779.tif 000006
【図５】
2008033779.tif 000007